(57)【要約】【課題】電子チューナにおいて、ＵＨＦ受信時に、ＮＦ性能の劣化を小さくすることを目的とする。【解決手段】信号線とグランドとの間に第３のインダクタ２９とスイッチング素子３１との直列接続体を挿入し、このスイッチング素子３１を切替手段でオンすることにより、ＵＨＦ受信時に、このＵＨＦ帯の高周波信号は、スイッチング素子３１を通過することはないので、スイッチング素子３１等による高周波信号の損失はなく、ＮＦ性能の劣化を小さくすることができる電子チューナの入力回路を提供することができる。【選択図】　図１
2004146918.tif 000002
【特許請求の範囲】
【請求項１】
高周波信号が入力される入力端子と、この入力端子とＶＨＦハイバンド出力端子との間に設けられたＶＨＦハイバンドフィルタと、前記入力端子とＶＨＦローバンド出力端子との間に設けられたＶＨＦローバンドフィルタと、前記入力端子とＵＨＦ出力端子との間に設けられたＵＨＦフィルタと、前記夫々の同調回路を選択的に切替える切替手段とを備え、ＵＨＦ帯受信時においては、前記ＶＨＦハイバンドフィルタを形成する第１のインダクタと、前記ＶＨＦローバンドフィルタを形成する第２のインダクタと、前記ＶＨＦハイバンドフィルタと前記ＶＨＦローバンドフィルタとの間に設けられた第１のコンデンサとでＵＨＦ帯を通過させるハイパスフィルタを形成するとともに、この信号線とグランドとの間に第３のインダクタとスイッチング素子との直列接続体を挿入し、このスイッチング素子を前記切替手段でオンすることにより、前記ハイパスフィルタの構成に前記第３のインダクタが加わり、この第３のインダクタにより前記ハイパスフィルタのカットオフ周波数より低い周波数帯の減衰量を変化させる電子チューナの入力回路。
【請求項２】
第３のインダクタとグランドとの間にスイッチング素子が挿入された請求項１に記載の電子チューナの入力回路。
【請求項３】
スイッチング素子と並列に第２のコンデンサを接続し、ＶＨＦ帯受信時においては、第３のインダクタと、前記第２のコンデンサとで妨害の原因となるＵＨＦ帯の周波数を抑圧するトラップ回路を形成する請求項２に記載の電子チューナの入力回路。
【発明の詳細な説明】
【０００１】
【発明の属する技術分野】
本発明は、高周波信号が入力される電子チューナの入力回路に関するものである。
【０００２】
【従来の技術】
以下、従来の電子チューナの入力回路について説明する。図３に示すように、従来の電子チューナの入力回路において、１は高周波信号が入力される入力端子である。この入力端子１とＶＨＦ帯のハイバンド信号が出力される出力端子２との間には、ＶＨＦ帯のハイバンド以外の信号を減衰させるＶＨＦハイバンドフィルタ３が設けられている。
【０００３】
４は、ＶＨＦ帯のローバンド信号が出力される出力端子であり、この出力端子４と入力端子１の間にはＶＨＦローバンドフィルタ５と、ＶＨＦハイバンドフィルタ３とＶＨＦローバンドフィルタ５との間にコンデンサ６とが挿入されている。
【０００４】
そして、コンデンサ６とＵＨＦ出力端子７との間には、ＵＨＦフィルタ８が挿入され、前記コンデンサ６とＵＨＦフィルタ８との間には、スイッチングダイオード９が挿入されていた。
【０００５】
また、コンデンサ６とスイッチングダイオード９の間からＵＨＦ帯受信時のみ正電圧が供給されるＵＨＦ切替入力端子１０との間には、抵抗１１が挿入されている。一方スイッチングダイオード９とＵＨＦフィルタ８の間からスイッチングダイオード固定バイアス端子１２との間には、抵抗１３が挿入されている。さらに、スイッチングダイオード９とＵＨＦフィルタ８の間からグランド間には、インダクタ１４が設けられていた。
【０００６】
なお、この出願の発明に関連する先行技術文献情報としては、例えば、特許文献１が知られている。
【０００７】
【特許文献１】
特開平８−９７７４２号公報
【０００８】
【発明が解決しようとする課題】
しかしながらこのような従来の電子チューナの入力回路では、スイッチングダイオード９が、入力端子１とＵＨＦフィルタ８との間に、直列に構成されており、ＵＨＦ受信時には、ＵＨＦ切替入力端子１０に正電圧を加える。つまり、スイッチングダイオード９がオンとなり、ＵＨＦ帯の高周波信号が前記スイッチングダイオード９を通過するため、スイッチングダイオード９によって信号が損失し、ＵＨＦ帯受信時にＮＦ性能が劣化していた。
【０００９】
そこで本発明は、この問題を解決したもので、ＵＨＦ受信時に、ＮＦ性能の劣化の小さい電子チューナの入力回路を提供することを目的としたものである。
【００１０】
【課題を解決するための手段】
この目的を達成するために本発明の電子チューナの入力回路は、高周波信号が入力される入力端子と、この入力端子とＶＨＦハイバンド出力端子との間に設けられたＶＨＦハイバンドフィルタと、前記入力端子とＶＨＦローバンド出力端子との間に設けられたＶＨＦローバンドフィルタと、前記入力端子とＵＨＦ出力端子との間に設けられたＵＨＦフィルタと、前記夫々の同調回路を選択的に切替える切替手段とを備え、ＵＨＦ帯受信時においては、前記ＶＨＦハイバンドフィルタを形成する第１のインダクタと、前記ＶＨＦローバンドフィルタを形成する第２のインダクタと、前記ＶＨＦハイバンドフィルタと前記ＶＨＦローバンドフィルタとの間に設けられた第１のコンデンサとでＵＨＦ帯を通過させるハイパスフィルタを形成するとともに、この信号線とグランドとの間に第３のインダクタとスイッチング素子との直列接続体を挿入し、このスイッチング素子を前記切替手段でオンすることにより、前記ハイパスフィルタの構成に前記第３のインダクタが加わり、この第３のインダクタにより前記ハイパスフィルタのカットオフ周波数より低い周波数帯の減衰量を変化させるものである。
【００１１】
これにより、ＵＨＦ受信時に、このＵＨＦ帯の高周波信号は、スイッチング素子を通過することはないので、スイッチング素子等による高周波信号の損失はなく、ＮＦ性能の劣化を小さくすることができる電子チューナの入力回路を提供することができる。
【００１２】
また、ＶＨＦ帯を抑圧するハイパスフィルタの減衰を容易に設定することができる。
【００１３】
【発明の実施の形態】
本発明の請求項１に記載の発明は、高周波信号が入力される入力端子と、この入力端子とＶＨＦハイバンド出力端子との間に設けられたＶＨＦハイバンドフィルタと、前記入力端子とＶＨＦローバンド出力端子との間に設けられたＶＨＦローバンドフィルタと、前記入力端子とＵＨＦ出力端子との間に設けられたＵＨＦフィルタと、前記夫々の同調回路を選択的に切替える切替手段とを備え、ＵＨＦ帯受信時においては、前記ＶＨＦハイバンドフィルタを形成する第１のインダクタと、前記ＶＨＦローバンドフィルタを形成する第２のインダクタと、前記ＶＨＦハイバンドフィルタと前記ＶＨＦローバンドフィルタとの間に設けられた第１のコンデンサとでＵＨＦ帯を通過させるハイパスフィルタを形成するとともに、この信号線とグランドとの間に第３のインダクタとスイッチング素子との直列接続体を挿入し、このスイッチング素子を前記切替手段でオンすることにより、前記ハイパスフィルタの構成に前記第３のインダクタが加わり、この第３のインダクタにより前記ハイパスフィルタのカットオフ周波数より低い周波数帯の減衰量を変化させる電子チューナの入力回路としたものであり、この構成により、スイッチング素子は、信号線とグランド間に接続されており、ＵＨＦ帯の高周波信号が、スイッチング素子を介さずＵＨＦフィルタに供給されるので、ＵＨＦ帯の高周波信号の減衰は小さくなり、ＮＦ性能の劣化を小さくすることができる。
【００１４】
また、ＵＨＦ受信時に、切替手段によってスイッチング素子に正電圧が供給されてオンとなり、第３のインダクタが、第２のインダクタと並列に挿入されることとなる。これにより、第１のインダクタと第２のインダクタと、その間に設けられた第１のコンデンサからなるＵＨＦ帯を通過させるハイパスフィルタに対して第３のインダクタが挿入され、このハイパスフィルタのカットオフ周波数より低い周波数帯の減衰量を大きくすることができる。
【００１５】
請求項２に記載の発明は、第３のインダクタとグランドとの間にスイッチング素子が挿入された請求項１に記載の電子チューナの入力回路としたものであり、これにより、信号線とスイッチング素子との間に、第３のインダクタを接続することにより、信号線に対して、スイッチング素子側のインピーダンスが高められているため、ＵＨＦ受信時にＵＨＦ帯の高周波信号が、スイッチング素子側に流入することが少なくなるので、ＵＨＦ帯の高周波信号のロスは小さくなる。
【００１６】
また、ＵＨＦ受信時にＵＨＦ帯の高周波信号が、スイッチング素子のバイアス電圧を決定する為の抵抗を介してダンピングされることがないため、ＵＨＦ受信時のＮＦ性能の劣化を小さくすることができる。
【００１７】
請求項３に記載の発明は、スイッチング素子と並列に第２のコンデンサを接続し、ＶＨＦ帯受信時においては、第３のインダクタと、前記第２のコンデンサとで妨害の原因となるＵＨＦ帯の周波数を抑圧する第２のトラップ回路を形成する請求項２に記載の電子チューナの入力回路としたものであり、ＶＨＦ受信時には、ＵＨＦ切替入力端子に、グランド電圧が供給され、スイッチング素子は、オフとなり、第３のインダクタと、第２のコンデンサの直列回路からなるＵＨＦ帯の周波数を抑圧するトラップ回路が構成される。
【００１８】
（実施の形態１）
以下、本発明の実施の形態について、図面を用いて説明する。図１において本発明の電子チューナの入力回路において、２１は、高周波信号が入力される入力端子である。
【００１９】
２３は、入力端子２１とＶＨＦ帯のハイバンド信号が出力されるＶＨＦハイバンド出力端子２２との間に設けられたＶＨＦハイバンドフィルタである。このＶＨＦハイバンドフィルタ２３はＶＨＦハイバンド帯の信号以外の周波数信号を減衰させるフィルタであり、このＶＨＦハイバンドフィルタ２３を構成するインダクタ２３ａはグランドに接続されている。
【００２０】
一方、入力端子２１とＶＨＦ帯のローバンド信号が出力されるＶＨＦローバンド出力端子２４との間にはＶＨＦローバンドフィルタ２５が挿入されている。このＶＨＦローバンドフィルタ２５は、ＶＨＦローバンド帯の信号以外の周波数信号を減衰させるフィルタであり、このＶＨＦローバンドフィルタ２５を構成するインダクタ２５ａはグランドに接続されている。
【００２１】
次に、ＶＨＦハイバンドフィルタ２３とＶＨＦローバンドフィルタ２５の間には、コンデンサ２６が挿入されている。そして、このコンデンサ２６と、ＵＨＦ帯の信号を出力するＵＨＦ出力端子２７との間にはＵＨＦフィルタ２８が設けられ、さらに、コンデンサ２６とＵＨＦフィルタ２８の間からグランドとの間には、インダクタ２９とコンデンサ３０とスイッチングダイオード３１（スイッチング素子の一例として用いた）とコンデンサ３２がこの順に直列接続されている。
【００２２】
また、コンデンサ３０とスイッチングダイオード３１の間からスイッチングダイオード固定バイアス端子３３との間に抵抗３４が接続され、コンデンサ３０とスイッチングダイオード３１の間からグランド間に抵抗３５が接続されている。
【００２３】
一方、スイッチングダイオード３１とコンデンサ３２の間からＵＨＦ切替入力端子３６との間には、抵抗３７が挿入され、抵抗３４と抵抗３７との間には、スイッチングダイオード３１と並列にコンデンサ３８が接続されている。
【００２４】
以上のように構成された電子チューナの入力回路について、以下にその動作を説明する。ＵＨＦ受信時には、ＵＨＦ切替入力端子３６に正電圧が供給される。このときスイッチングダイオード３１はオンとなり、インダクタ２９と、インダクタ２３ａとコンデンサ２６とインダクタ２５ａによってハイパスフィルタが構成されることとなる。つまり、インダクタ２５ａとインダクタ２９とは並列に構成されることとなり、それらのインダクタンスの合成によって生じる等価インダクタンスは小さくなるので、ハイパスフィルタの減衰量を大きくすることができる。従って、ＵＨＦ帯受信時に必要のないＶＨＦ帯の不要な信号等を抑圧でき、妨害排除能力の高い電子チューナを実現することができる。
【００２５】
また、ＵＨＦ帯の信号はスイッチングダイオード３１を通過しない回路構成となっているので、ＵＨＦ受信時において、ＵＨＦ信号のロスは小さくなり、ＮＦ性能の劣化を小さくすることができる。
【００２６】
さらに、インダクタ２９とグランドの間にスイッチングダイオード３１が挿入されているので、インダクタ２９により、スイッチングダイオード３１側のインピーダンスが、信号線側より高くなり、ＵＨＦ帯の信号が流入しないため、ＵＨＦ信号のロスを小さくすることができる。
【００２７】
さらにまた、抵抗３４，３５および３７は、ＵＨＦ帯の信号の通過線路に接続されていないので、スイッチングダイオード３１の切替に関わる抵抗３４と抵抗３５及び抵抗３７によるダンピングの影響を受けない。
【００２８】
なお本実施の形態においては、スイッチングダイオードと並列にコンデンサ３８を設けているので、ＶＨＦ帯受信時にＵＨＦ切替入力端子３３にグランド電圧が供給され、スイッチングダイオード３１はオフとなる。このときに、インダクタ２９とコンデンサ３８からなる直列回路からなるトラップ回路が構成され、ＵＨＦ帯の周波数を抑圧するようにしてある。ここで、このトラップ回路について、図２を用いてその周波数関係について説明する。図２において、横軸は周波数軸５０を表し、縦軸はレベル軸５１を表している。ここでは、４３６．２５ＭＨｚのＶＨＦ帯の信号を受信する場合を一例として説明する。
【００２９】
信号受信希望信号５２と、５０１．１５ＭＨｚのローカル信号５３とが混合回路（図示せず）にて混合されて、３８．９ＭＨｚの中間周波数５４が作り出される。
【００３０】
一方、７９９．２５ＭＨｚの第１の妨害波５５と３３５．２５ＭＨｚの第２の妨害波５６がＶＨＦフィルタ回路を通過すると、４６４ＭＨｚの２次歪み成分５７を発生させる。この２次歪み成分５７は、受信希望信号５２の周波数が４６３．２５ＭＨｚであるので、非常に近い周波数に発生することとなる。
【００３１】
そして、この４６４ＭＨｚの２次歪み成分５７は、混合回路にて、３８．１５ＭＨｚの信号へ変換される。つまり、中間周波数５４が３８．９ＭＨｚであるので、２次歪み成分によって発生する妨害成分５８とは非常に近似した周波数としてあらわれることとなり、中間周波数への妨害信号となる。
【００３２】
そこで、前記７９９．２５ＭＨｚの第１の妨害波５５を抑制するように第２のコンデンサの定数を設定すれば、前記歪み成分を抑制でき、混合回路にて中間周波数の近傍にあらわれる妨害成分を抑制できる。
【００３３】
【発明の効果】
以上のように本発明によれば、ＵＨＦ帯受信時においては、前記ＶＨＦハイバンドフィルタを形成する第１のインダクタと、前記ＶＨＦローバンドフィルタを形成する第２のインダクタと、前記ＶＨＦハイバンドフィルタと前記ＶＨＦローバンドフィルタとの間に設けられた第１のコンデンサとでＵＨＦ帯を通過させるハイパスフィルタを形成するとともに、この信号線とグランドとの間に第３のインダクタとスイッチング素子との直列接続体を挿入し、このスイッチング素子を前記切替手段でオンすることにより、ＵＨＦ受信時に、このＵＨＦ帯の高周波信号は、スイッチング素子を通過することはないので、スイッチング素子等による高周波信号の損失はなく、ＮＦ性能の劣化を小さくすることができる電子チューナの入力回路を提供することができる。
【００３４】
さらに、ハイパスフィルタの構成に前記第３のインダクタが加わり、この第３のインダクタにより前記ハイパスフィルタのカットオフ周波数より低い周波数帯の減衰量を変化させるので、ＵＨＦ受信時に、ＶＨＦ帯を抑圧するハイパスフィルタを容易に設定することができるという効果がある。
【図面の簡単な説明】
【図１】本発明の一実施の形態における電子チューナの入力回路の回路図
【図２】ＶＨＦ受信時の周波数スペクトラム図
【図３】従来の電子チューナにおける入力回路の回路図
【符号の説明】
２１　入力端子
２２　ＶＨＦハイバンド出力端子
２３　ＶＨＦハイバンドフィルタ
２３ａ　インダクタ
２４　ＶＨＦローバンド出力端子
２５　ＶＨＦローバンドフィルタ
２５ａ　インダクタ
２６　コンデンサ
２７　ＵＨＦ出力端子
２８　ＵＨＦフィルタ
２９　インダクタ
３１　スイッチングダイオード
３３　スイッチングダイオード固定バイアス端子
３６　ＵＨＦ切替入力端子
【図１】
2004146918.tif 000003
【図２】
2004146918.tif 000004
【図３】
2004146918.tif 000005